【事件の表示】
　特願２０１４−　９１５２２「情報処理装置および情報処理方法」拒絶査定不服審判事件〔平成２７年１１月２４日出願公開、特開２０１５−２１０３６８〕について、次のとおり審決する。
【結　論】
　本件審判の請求は、成り立たない。
【理　由】
第１　手続の経緯
　本願は、平成２６年４月２５日の出願であって、平成２９年１２月１８日付けの拒絶理由通知に対して平成３０年２日２２日付けで手続補正がなされたが、平成３０年３月３０日付けで拒絶査定がなされ（謄本発送日　平成３０年４月３日）、これに対し、平成３０年６月２８日付けで拒絶査定不服審判が請求されるとともに手続補正がなされ、当審における平成３１年３月２０日付けの拒絶理由通知に対して、令和元年５月２２日付けで手続補正がなされ、同日付けで意見書の提出がなされたものである。
第２　本願発明
　本願の請求項１ないし５に係る発明は、令和元年５月２２日付け手続補正書により補正された特許請求の範囲の請求項１ないし５に記載された事項により特定されるとおりのものと認められるところ、その請求項１に係る発明（以下、「本願発明」という。）は次のとおりである。
「【請求項１】
　画像信号に基づく画像を表示する表示部と、
　画像信号を出力する外部機器が接続されて、画像信号が入力される複数の入力ポートと、
　前記複数の入力ポートのいずれかに外部機器が接続されて画像信号が入力されたとき、該画像信号が入力された入力ポートを検出する入力ポート検出部と、
　前記入力ポート検出部によって複数の入力ポートが検出されたとき、該複数の入力ポートのうちの、任意の１つの入力ポートに入力された画像信号に基づく画像を、前記表示部に表示させる第１表示制御部と、
　前記表示部に表示された、前記任意の入力ポートに入力された画像信号に基づく画像を切替えるための切替指示が入力される切替指示入力部と、
　前記任意の入力ポートに入力された画像信号に基づく画像が前記表示部に表示されているときに、前記入力ポート検出部によって検出された複数の入力ポートに入力された各画像信号に基づく画像の縮小画像を、各入力ポートに対応付けてそれぞれ生成する縮小画像生成部と、
　前記縮小画像生成部によって生成された、前記外部機器が接続可能な入力ポートに対応する縮小画像を、表示部に並べて表示させる第２表示制御部と、
　前記表示部に表示された各縮小画像のうちの１つの縮小画像を選択する指示が入力される選択指示入力部と、
　前記選択指示入力部に１つの縮小画像を選択する指示が、前記縮小画像が表示されてから入力されたとき、他の操作を介さずに、選択された縮小画像に対応する入力ポートに入力された画像信号に基づく画像に切り替えて前記表示部に表示させ、かつ、前記縮小画像を非表示とする第３表示制御部と、を含むことを特徴とする情報処理装置。」
第３　当審の拒絶理由の概要
　当審において平成３１年３月２０日付けで通知した拒絶理由は、次のとおりのものである。
　本願の請求項１に係る発明は、本願の出願前に日本国内又は外国において、頒布された又は電気通信回線を通じて公衆に利用可能となった以下の引用文献１及び引用文献２に記載された発明に基づいて、その出願前にその発明の属する技術の分野における通常の知識を有する者が容易に発明をすることができたものであるから、特許法第２９条第２項の規定により特許を受けることができない。 
引用文献１．特開２００１−２１５９３４号公報 
引用文献２．特開２００８−２１６６６０号公報 
第４　引用文献の記載及び引用発明
１　引用文献１の記載
　引用文献１には、図面とともに、次の事項が記載されている（下線は、当審で付したものである。以下同じ）。
　引用文献１には、図面とともに、次の事項が記載されている。
「【０００２】
【従来の技術】従来、
複数の映像信号を入力して、１つの映像信号を出力する映像表示装置
入力された複数の映像信号のうちいずれかを切り換えて出力する
「【０００６】また、上記従来の映像装置では、
入力された複数の映像信号から１つを選択して表示するために、
「【０００８】本発明は、この点に着目してなされたものであり、
入力されている映像ソースの内容を容易に確認することができる
「【００７１】図１は、本発明の第１の実施の形態に係る
映像表示装置
【００７２】同図において、
アナログ映像信号を入力するための複数の入力端子１は直接に、
ビデオ信号を入力するための複数の入力端子２は、
セレクタ３およびデコーダ４を介して、
セレクタ５に接続されている。
【００７３】
セレクタ５の出力側は、
信号処理部８に接続されている。
【００７４】
信号処理部８には、メモリ９、Ｄ／Ａ変換器１０
が接続されている。
Ｄ／Ａ変換器１０の出力側は、
表示器１１に接続されている。
「【００７６】
ＣＰＵ１６には、画像選択部１７が接続されている。
「【００７８】
入力端子１，２から入力される複数の映像信号のいずれか１つが、セレクタ３および５の組合わせによって選択され、
信号処理部８に入力される。
「【００８０】
信号処理部８は、
画像の拡大／縮小などの処理を行う。
【００８１】
メモリ９は、上記信号処理のためのバッファメモリとして使用される。
【００８２】
信号処理部８からの出力信号は、Ｄ／Ａ変換器１０によりアナログ信号に変換され、表示器１１を駆動する。
「【００８４】
画像選択部１７は、リモコンや外部ＳＷ
により入力画像の選択（どの端子から入力された画像を表示するか）や確認表示の設定を行う。
「【００８６】図２は、本実施の形態の映像表示装置、特に
ＣＰＵ１６が実行する副画面表示処理
【００８７】同図において、まず、
入力ソース確認開始信号が入力されると、処理中の１フレーム分の信号を処理してフレームメモリに書き込んだ後に、メモリへの書込みを停止する
メモリからの映像信号の読み出しおよび表示器１１への表示は継続される。
【００８８】
次に、セレクタ３，５を切り換えて異なる映像信号を選択する
「【００９０】
次に、選択した画像の表示位置および画面の縮小率を決定し
ステップＳ７
【００９１】
以上の処理
を映像入力の数だけ繰り返すことにより
、一覧表示画像を得る。
【００９２】なお、本副画面表示処理は、
入力ソース確認用のスイッチ
が操作されたときに
「【００９５】図３は、上記副画面表示処理により
表示された入力ソース確認画面
【００９６】同図において、（ａ）は、
主画面１１ａの下部に副画面１１ｂ〜１１ｄを表示し
図２より、ステップＳ７では、選択した入力画像を縮小して、フレームメモリの表示位置に対応するアドレスに書込むこと、ステップＳ８では、次の映像入力を検出していることが見て取れる。
　したがって、上記引用文献１に記載された事項、図面の記載を総合すると、引用文献１には、次の発明（以下、「引用発明」という。）が記載されている（括弧内は、認定に用いた引用文献１の記載箇所である）。
「入力された複数の映像信号のうちいずれかを切り換えて出力する、複数の映像信号を入力して、１つの映像信号を出力する映像表示装置であって（【０００２】）、
　アナログ映像信号を入力するための複数の入力端子１は直接に、ビデオ信号を入力するための複数の入力端子２は、セレクタ３およびデコーダ４を介して、セレクタ５に接続され（【００７２】）、
　セレクタ５の出力側は、信号処理部８に接続され（【００７３】）、
　信号処理部８には、メモリ９、Ｄ／Ａ変換器１０が接続され、
　Ｄ／Ａ変換器１０の出力側は、表示器１１に接続されている映像表示装置において（【００７１】、【００７４】）、
　入力端子１，２から入力される複数の映像信号のいずれか１つが、セレクタ３および５の組合わせによって選択され、信号処理部８に入力され（【００７８】）、
　信号処理部８は、画像の拡大／縮小などの処理を行い（【００８０】）、
　メモリ９は、上記信号処理のためのバッファメモリとして使用され（【００８１】）、
　信号処理部８からの出力信号は、Ｄ／Ａ変換器１０によりアナログ信号に変換され、表示器１１を駆動し（【００８２】）、
　画像選択部１７は、リモコンや外部ＳＷにより入力画像の選択（どの端子から入力された画像を表示するか）や確認表示の設定を行い（【００８４】）、
　ＣＰＵ１６には、画像選択部１７が接続されており（【００７６】）、
　ＣＰＵ１６が実行する副画面表示処理は（【００８６】）、
　入力ソース確認用のスイッチが操作され（【００９２】）、画像選択部１７が確認表示の設定を行って（【００８４】）、入力ソース確認開始信号が入力されると、
　処理中の１フレーム分の信号を処理してフレームメモリに書き込んだ後に、メモリへの書込みを停止する、ただし、メモリからの映像信号の読み出しおよび表示器１１への表示は継続され（【００８７】）、
　次に、セレクタ３，５を切り換えて異なる映像信号を選択し（【００８８】）、
　次に、選択した画像の表示位置および画面の縮小率を決定し、選択した入力画像を縮小して、フレームメモリの表示位置に対応するアドレスに書込み（【００９０】、図２）、
　以上の処理を、映像入力を検出しながら、映像入力の数だけ繰り返すことにより、一覧表示画像を得て（【００９１】、図２）、
　主画面１１ａの下部に副画面１１ｂ〜１１ｄを表示する、入力ソース確認画面を表示するものであり（【００９５】、【００９６】）、
　画像選択部１７が、入力画像の選択（どの端子から入力された画像を表示するか）の設定を行い（【００８４】）、入力された複数の映像信号のうちいずれかを切り換えて出力する映像表示装置（【０００２】）。」
２　引用文献２の記載
　引用文献２には、図面とともに、次の事項が記載されている。
「【００１４】・・・本実施例では、
操作画面
として、「カメラ選択」
のモードを有する。
各操作画面が表示されている状態で所定時間（数秒間）ユーザから何も操作がない場合、操作画面は非表示となり、カメラ画像３１のみを表示する状態となる。
「【００１５】・・・図４は、
カメラ選択モードの表示画面
グループ選択４１とカメラ選択４２を表示している。
「【００１６】
　
カメラ選択４２では、カメラボタンを押すことで所望のカメラを選択する。
カメラ選択を行うと、受信部１１は選択されたカメラからの画像信号を選択してカメラ画像３１に表示する。
「【００１９】
　図４（ｃ）は、図４（ａ）の
カメラ選択ボタン４２を拡大して示したものである。ここには各カメラの付加情報４６を表示しており、
付加情報４６には、
サムネイル画像４８などを含む。
　図４（ａ）から、
カメラ選択モードの表示画面は、カメラ画像３１、グループ選択４１とカメラ選択４２を表示している
　上記記載より、引用文献２には、カメラ選択モードの表示画面で、サムネイル画像４８に対応するカメラを選択すると、カメラ選択モードの表示画面で、選択されたカメラからの画像信号を選択してカメラ画像３１に表示し、ユーザから何も操作がない場合、カメラ選択モードの表示画面は非表示となり、カメラ画像３１のみを表示する技術が記載されている。
第５　対比
　本願発明と引用発明を対比する。
１　引用発明の「複数の映像信号を入力して、１つの映像信号を出力する映像表示装置」の「表示器１１」は、本件特許発明１の「画像信号に基づく画像を表示する表示部」に相当する。
２　引用発明の「アナログ映像信号を入力するための複数の入力端子１」及び「ビデオ信号を入力するための複数の入力端子２」は、本件特許発明１の「画像信号を出力する外部機器が接続されて、画像信号が入力される複数の入力ポート」に相当する。
３　引用発明の「ＣＰＵ１６が実行する副画面表示処理」は、「セレクタ３，５を切り換えて異なる映像信号を選択し、」「映像入力を検出しながら、映像入力の数だけ繰り返すことにより、一覧表示画像を得て」いるので、引用発明は、「映像信号」が入力された「入力端子」を検出しているといえ、このことは、本願発明の「該画像信号が入力された入力ポートを検出する」ことに相当する。
　そうすると、引用発明の「入力端子１，２から入力される複数の映像信号のいずれか１つ」を「選択」する「セレクタ３および５」と、「副画面表示処理」を「実行する」「ＣＰＵ１６」は、本願発明の「前記複数の入力ポートのいずれかに外部機器が接続されて画像信号が入力されたとき、該画像信号が入力された入力ポートを検出する入力ポート検出部」に相当するといえる。
４　引用発明の「画像選択部１７」が、「リモコンや外部ＳＷにより」「入力画像の選択（どの端子から入力された画像を表示するか）の設定を行い、入力された複数の映像信号のうちいずれかを切り換えて出力する」ことは、本願発明の「該複数の入力ポートのうちの、任意の１つの入力ポートに入力された画像信号に基づく画像を、前記表示部に表示させる」ことに相当する。
　そして、上記３を踏まえると、引用発明の「映像信号」が入力された複数の「入力端子」を検出し、「入力された複数の映像信号のうちいずれかを切り換えて出力」させる「画像選択部１７が接続され」た「ＣＰＵ１６」は、本願発明の「前記入力ポート検出部によって複数の入力ポートが検出されたとき、該複数の入力ポートのうちの、任意の１つの入力ポートに入力された画像信号に基づく画像を、前記表示部に表示させる第１表示制御部」に相当する。
５　本願明細書に「【００３５】・・・受光部１０を介して入力ポートの
切替指示が入力されると、
入力切替サムネイル画像を生成する。
受光部１０を介して
切替指示が入力され
入力ポートの切替指示が入力された
サムネイル画像生成処理を実行する
切替指示が入力されると、サムネイル画像生成処理を実行する
　そして、引用発明は「入力ソース確認用のスイッチが操作され、画像選択部１７が確認表示の設定を行って、入力ソース確認開始信号が入力されると」、「選択した入力画像を縮小して、」「一覧表示画像」を生成しているので、「入力ソース確認開始信号が入力されると、」「一覧表示画像」生成処理を実行しており、引用発明の「入力ソース確認開始信号」は、本願発明の「前記表示部に表示された、前記任意の入力ポートに入力された画像信号に基づく画像を切替えるための切替指示」に対応するものである。
　したがって、引用発明の「リモコンや外部ＳＷにより」「確認表示の設定を行って、入力ソース確認開始信号が入力される」「画像選択部１７」は、本願発明の「前記表示部に表示された、前記任意の入力ポートに入力された画像信号に基づく画像を切替えるための切替指示が入力される切替指示入力部」に相当するといえる。
６　引用発明は「副画面表示処理」において、「表示器１１への表示は継続され」ているときに、「セレクタ３，５を切り換えて異なる映像信号を選択し、」「選択した入力画像を縮小して、フレームメモリの表示位置に対応するアドレスに書込み、以上の処理を、映像入力を検出しながら、映像入力の数だけ繰り返すことにより、一覧表示画像を得て」いる。
　ここで、引用発明の「映像入力を検出しながら、映像入力の数だけ繰り返すことにより、一覧表示画像を得」ることは、本件特許発明１の「前記入力ポート検出部によって検出された複数の入力ポートに入力された各画像信号に基づく画像の縮小画像を、」「それぞれ生成する」ことに相当するといえる。
　また、引用発明は、「選択した入力画像を縮小して、フレームメモリの表示位置に対応するアドレスに書込」むのであるから、「縮小」した「入力画像」と各「入力端子」が対応付けられていることは、明らかである。
　そして、引用発明は、「信号処理部８」が、「画像の拡大／縮小などの処理を行」うのであるから、引用発明の「信号処理部８」は、本件特許発明１の「前記任意の入力ポートに入力された画像信号に基づく画像が前記表示部に表示されているときに、前記入力ポート検出部によって検出された複数の入力ポートに入力された各画像信号に基づく画像の縮小画像を、各入力ポートに対応付けてそれぞれ生成する縮小画像生成部」に相当する。
７　上記６を踏まえると、引用発明の「一覧表示画像を得て、主画面１１ａの下部に副画面１１ｂ〜１１ｄを表示する、入力ソース確認画面を表示」させる「副画面表示処理」を「実行する」「ＣＰＵ１６」は、本願発明の「前記縮小画像生成部によって生成された、前記外部機器が接続可能な入力ポートに対応する縮小画像を、表示部に並べて表示させる第２表示制御部」に相当する。
８　引用発明の「主画面１１ａの下部に副画面１１ｂ〜１１ｄを表示する、入力ソース確認画面」は、入力された複数の映像信号から１つを選択するときに、入力されている映像ソースの内容を容易に確認するためのものであるから（【０００６】、【０００８】）、引用発明の「リモコンや外部ＳＷにより入力画像の選択（どの端子から入力された画像を表示するか）」「の設定を行」う「画像選択部１７」は、「入力ソース確認画面」の「副画面１１ｂ〜１１ｄ」を選択しているといえるので、本願発明の「前記表示部に表示された各縮小画像のうちの１つの縮小画像を選択する指示が入力される選択指示入力部」に相当する。
９　引用発明の「主画面１１ａの下部に副画面１１ｂ〜１１ｄを表示する、入力ソース確認画面」は、入力された複数の映像信号から１つを選択するときに、入力されている映像ソースの内容を容易に確認するためのものであるから（【０００６】、【０００８】）、引用発明の「主画面１１ａの下部に副画面１１ｂ〜１１ｄを表示する、入力ソース確認画面を表示」し、「画像選択部１７が、入力画像の選択（どの端子から入力された画像を表示するか）の設定を行い、入力された複数の映像信号のうちいずれかを切り換えて出力」させることは、「画像選択部１７」に、「入力画像の選択（どの端子から入力された画像を表示するか）」の指示が、「入力ソース確認画面を表示」されてから入力されたとき、「入力された複数の映像信号のうちいずれかを切り換えて出力」させることであるといえる。
　したがって、引用発明の「主画面１１ａの下部に副画面１１ｂ〜１１ｄを表示する、入力ソース確認画面を表示」し、「画像選択部１７が、入力画像の選択（どの端子から入力された画像を表示するか）の設定を行い、入力された複数の映像信号のうちいずれかを切り換えて出力」させる「画像選択部１７が接続され」た「ＣＰＵ１６」と、本願発明の「前記選択指示入力部に１つの縮小画像を選択する指示が、前記縮小画像が表示されてから入力されたとき、他の操作を介さずに、選択された縮小画像に対応する入力ポートに入力された画像信号に基づく画像に切り替えて前記表示部に表示させ、かつ、前記縮小画像を非表示とする第３表示制御部」とは、「前記選択指示入力部に１つの縮小画像を選択する指示が、前記縮小画像が表示されてから入力されたとき、選択された縮小画像に対応する入力ポートに入力された画像信号に基づく画像に切り替えて前記表示部に表示させる第３表示制御部」である点で共通する。
　すると本願発明と引用発明とは、次の（一致点）及び（相違点）を有する。
（一致点）
「画像信号に基づく画像を表示する表示部と、
　画像信号を出力する外部機器が接続されて、画像信号が入力される複数の入力ポートと、
　前記複数の入力ポートのいずれかに外部機器が接続されて画像信号が入力されたとき、該画像信号が入力された入力ポートを検出する入力ポート検出部と、
　前記入力ポート検出部によって複数の入力ポートが検出されたとき、該複数の入力ポートのうちの、任意の１つの入力ポートに入力された画像信号に基づく画像を、前記表示部に表示させる第１表示制御部と、
　前記表示部に表示された、前記任意の入力ポートに入力された画像信号に基づく画像を切替えるための切替指示が入力される切替指示入力部と、
　前記任意の入力ポートに入力された画像信号に基づく画像が前記表示部に表示されているときに、前記入力ポート検出部によって検出された複数の入力ポートに入力された各画像信号に基づく画像の縮小画像を、各入力ポートに対応付けてそれぞれ生成する縮小画像生成部と、
　前記縮小画像生成部によって生成された、前記外部機器が接続可能な入力ポートに対応する縮小画像を、表示部に並べて表示させる第２表示制御部と、
　前記表示部に表示された各縮小画像のうちの１つの縮小画像を選択する指示が入力される選択指示入力部と、
　前記選択指示入力部に１つの縮小画像を選択する指示が、前記縮小画像が表示されてから入力されたとき、選択された縮小画像に対応する入力ポートに入力された画像信号に基づく画像に切り替えて前記表示部に表示させる第３表示制御部と、を含む情報処理装置。」
（相違点）
　本願発明は、「前記選択指示入力部に１つの縮小画像を選択する指示が、前記縮小画像が表示されてから入力されたとき、他の操作を介さずに、選択された縮小画像に対応する入力ポートに入力された画像信号に基づく画像に切り替えて前記表示部に表示させ、かつ、前記縮小画像を非表示とする」のに対して、引用発明は、「主画面１１ａの下部に副画面１１ｂ〜１１ｄを表示する、入力ソース確認画面を表示」し、「画像選択部１７が、入力画像の選択（どの端子から入力された画像を表示するか）の設定を行い、入力された複数の映像信号のうちいずれかを切り換えて出力する」が、「画像選択部１７が、入力画像の選択（どの端子から入力された画像を表示するか）の設定を行」ったとき、他の操作を介さずに、「入力された複数の映像信号のうちいずれかを切り換えて出力する」のか不明であり、かつ、「副画面１１ｂ〜１１ｄ」を非表示とするのか不明である点。
第６　判断
　上記相違点について検討する。
　引用文献２には、カメラ選択モードの表示画面で、サムネイル画像４８に対応するカメラを選択すると、カメラ選択モードの表示画面で、選択されたカメラからの画像信号を選択してカメラ画像３１に表示し、ユーザから何も操作がない場合、カメラ選択モードの表示画面は非表示となり、カメラ画像３１のみを表示する技術が記載されている（上記「第４　２」）。
　ここで、引用発明及び引用文献２に記載された技術は、ともに、複数の縮小画像を表示して、画像の選択を行うものであるから、引用文献２に記載された、選択後に、ユーザから何も操作がない場合、カメラ画像３１のみを表示する技術を引用発明に適用し、「一覧表示画像」が表示されてから、「画像選択部１７が、入力画像の選択（どの端子から入力された画像を表示するか）の設定を行」った後に、ユーザから何も操作がない場合、「入力された複数の映像信号のうちいずれかを切り換えて出力」し、かつ、「副画面１１ｂ〜１１ｄ」を非表示とする構成、すなわち、上記相違点に係る「前記選択指示入力部に１つの縮小画像を選択する指示が、前記縮小画像が表示されてから入力されたとき、他の操作を介さずに、選択された縮小画像に対応する入力ポートに入力された画像信号に基づく画像に切り替えて前記表示部に表示させ、かつ、前記縮小画像を非表示とする」構成を得ることは、当業者が容易になし得たことである。
　よって、本願発明は、引用発明及び引用文献２に記載された技術に基づいて、当業者が容易に発明をすることができたものである。
 第７　むすび
　以上のとおり、本願発明は、特許法第２９条第２項の規定により特許を受けることができないものであるから、その余の請求項に論及するまでもなく、本願は拒絶すべきものである。
　よって、結論のとおり審決する。